(57)【要約】【課題】消費電力が少なく、耳元や携帯電話機の通話口で十分に聞こえる音声メッセージを出力する音声ＩＣ及びスピーカと、人体の一部分に触れるだけでオンになるスイッチを備え、敢えて音量を小さくすることにより、ひそひそ話をしている様な特別な雰囲気を作ることができる小型低音量音声出力玩具を提供することを課題とする。【解決手段】本発明の小型低音量音声出力玩具は、体の一部に触れることにより、スイッチが入る仕組みを持ち、なおかつ音量の小さい音声メッセージを出力するので他人に聞かれる心配がない。更に、必要な音量が小さいので、スピーカや音声ＩＣの小型化が図れ、かつ電池の消耗を抑えることができる。【選択図】            図２
2004215723.tif 000002
【特許請求の範囲】
【請求項１】
本体内部に音声ＩＣ、スピーカー及び電池を備える一方、本体には音声を出力する為のスイッチを備え、音声を聞く時に耳などの人体の一部若しくは携帯電話機の通話口に該本体表面が押し当てられることにより、前記スイッチが閉成されて前記電池から電力が供給され、前記音声ＩＣに記憶された音声メッセージが前記スピーカーを通して小さな音声を出力することを特徴とする小型低音量音声出力玩具。
【請求項２】
前記本体に人体との電気的な２つの接触端子を備え、これらの接触端子が人体と接触することにより、接触端子と人体の間で通電されてスイッチが閉成され、前記スピーカーを通して音声メッセージが出力されることを特徴とする請求項１記載の小型低音量音声出力玩具。
【請求項３】
前記本体に内蔵されたスピーカーから騒音計又は音量計のマイク先端部までの距離が略１センチメートルの位置で、出力される音声の大きさが４０デシベル以上であり、前記スピーカーから前記騒音計又は音量計のマイク先端部までの距離が略２０センチメートルの位置で、前記音声の大きさが６０デシベル以下であることを特徴とする請求項１または２記載の小型低音量音声出力玩具。
【発明の詳細な説明】
【０００１】
【発明の属する技術分野】
本発明は、例えば指輪などのアクセサリや、携帯電話機用ストラップの人形として用いられる、小型低音量音声出力玩具に関する。
【０００２】
【従来の技術】
音声を発する人形やアクセサリについては多くの従来例があり、例として特開平１１−１９７３６７号公報では、人の発した言葉を記憶し、また再生することが可能な人形型アクセサリーが開示されている。また、特開２０００−２３６３７０号公報では、携帯電話機の着信電波に反応し、予め音声ＩＣに記憶されたメッセージを出力する携帯電話機用ストラップの人形が開示されている。一方、登録実用新案第３０７２１５号公報では、１対のペアの指輪やネックレスなどを互いに接触させることにより、音声ＩＣに記憶された音声が出力されるアクセサリーが開示されている。
【０００３】
前記従来例では、ある程度耳元から離れていても良く聞こえるように、出力の大きなスピーカと、それに対応した容量の電池と音声ＩＣを搭載している。その結果、前記音声出力物のサイズが大きくなり、消費電力も多い、などの問題があった。
【０００４】
また前記従来例において、音声ＩＣをオンにするスイッチは、前記人形やアクセサリーの本体外部に、押しボタンやスライドスイッチの形式で配置されており、必ず手の指でこれらのスイッチを操作する必要があった。
【０００５】
【発明が解決しようとする課題】
そこで本発明では、従来技術の問題点に鑑みなされたもので、消費電力が少なく、耳元や携帯電話機の通話口で十分に聞こえる音声メッセージを出力するスピーカー及び音声ＩＣと、人体の一部などに触れるだけでオンになるスイッチを備え、敢えて低音量とすることで、耳元でひそひそ話をしているような特別な雰囲気を作ることを可能とする小型低音量音声出力玩具を提供することを課題とする。
【０００６】
【課題を解決するための手段】
請求項１記載の発明は、耳などの人体の一部や携帯電話機の通話口に軽く触れただけでスイッチが入るようにしたことを特徴とする、キーホルダーや携帯電話機用ストラップのキャラクタ人形、またはキャラクタをイメージしたネックレス、指輪、ブレスレットなどのアクセサリとしての小型低音量音声出力玩具である。
【０００７】
従来は意識的にスイッチをオンにする必要があったが、本発明によれば、例えばゴム製の小さく柔らかい押しボタンなどを備えることにより、耳に当てるだけでスイッチがオンになり音声を聞くことができるため、両手が塞がっていてもメッセージを聞くことができる。また、耳元や携帯電話機の通話口に接触させた状態で聞けるため、従来の音声出力玩具に比べて小さいスピーカと音声ＩＣ、電池を内蔵すればよく、従って本体も小型化できるという利点がある。更に、耳元で他人に聞かれないように秘密のメッセージを聞けるので、子供が楽しんで遊ぶことができる。
【０００８】
請求項２記載の発明は、請求項１と同じようにスイッチ操作上の簡便さを備え、なおかつ小型玩具を人体に接触させた時のみ、人体と接触端子が通電され、スイッチがオンになることを特徴とする。
【０００９】
例えば本発明による指輪をしている人が、指輪を耳に触れた時のみスイッチが入るため、物がぶつかったり、ポケットに入れた状態にしておいてもスイッチが入ることが無く、電池が無駄に消耗するのを防ぐことができる。また、人体に触れた時にのみスイッチがオンになるので、秘密のメッセージを間違って他人に聞かれることがない。
【００１０】
請求項３記載の発明は、前記小型低音量音声出力玩具で、他人に聞かれることなく、はっきりと音声メッセージを聞き取るのに最適な音量を、規定したことを特徴とする。
【００１１】
本発明によれば、前記音声出力装置のスイッチが入った時に、例えば指輪なら耳元でのみ聞こえる音量の範囲、携帯電話ストラップの人形なら、該人形を携帯電話機の送話口に押し付けて、受信側の携帯電話電話で聞き取れる音量の範囲を規定して、他人には聞かれないようにすることができる。
【００１２】
【発明の実施の形態】
本発明の小型低音量音声出力玩具は、体の一部に触れることにより、スイッチが入る仕組みを持ち、なおかつ音量の小さい音声メッセージを出力するので他人に聞かれる心配がない。更に、必要な音量が小さいので、スピーカーや音声ＩＣの小型化が図れ、かつ電池の消耗を抑えることができる。また音量が小さいことで、耳元で囁かれているという特別な雰囲気を作ることができる。
【００１３】
【実施例】
以下、図面に基いて本発明の実施例を詳細に説明する。
図１は本発明の小型低音量音声出力玩具の実施例を示したものである。図１（Ａ）はキーホルダー用キャラクタ人形、図１（Ｂ）は携帯電話機用ストラップのキャラクタ人形、図１（Ｃ）はネックレス形状、図１（Ｄ）は指輪形状の、それぞれの小型低音量音声出力玩具を示している。
【００１４】
図２は本発明の一実施例である、指輪型の小型低音量音声出力玩具を示す。図２（Ａ）が該指輪の外観図を、図２（Ｂ）はその使用方法を示す。図２（Ａ）において、指輪本体１はその表面に接触スイッチ３を備えており、図２（Ｂ）に示すように、該スイッチ３を耳４に当てることにより、音声メッセージが出力される。耳元で聞くため音声メッセージの音量が従来に比べて非常に小さくてもよいので、部品及び本体の小型化が図れる。
【００１５】
図３は本発明の一実施例である、携帯電話機用ストラップの人形の使用方法を示す図である。図３中の本体１は図１（Ｂ）の携帯電話機用ストラップのキャラクタ人形である。送信者側が本体１を携帯電話機に当て、指５で第１接触端子１１と第２接触端子１２に触れることにより、第１接触端子１１と使用者の指５、及び第２接触端子１２と使用者の指５の間で通電され、音声メッセージが出力される。該音声メッセージは携帯電話機の通話口６を通し、受信者側に伝達される。本体１が携帯電話機の通話口６に密着されることから、携帯電話の受信者側は、従来に比べて小さい音声でもはっきりと聞き取ることができる。
【００１６】
図４は本小型低音量音声出力玩具に実装される、音声回路を示す図である。音声ＩＣ９は、デジタル信号として音声メッセージが記憶されたＲＯＭ７と、該音声メッセージをアナログ信号に変換するサウンドチップ８で構成される。本小型低音量音声出力玩具のスイッチ３がオンになると、電池１０から音声ＩＣ９に通電され、該音声メッセージがスピーカー２から出力される。なお、前記スイッチ３は前述したような接触スイッチや電気的な接触端子等であり、複数個備えることも可能である。
【００１７】
図５は本発明の一実施例である、人体との電気的な接触スイッチを備えた、指輪型の小型低音量音声出力玩具を示す。図５（Ａ）と図５（Ｂ）が二種類の本指輪の外観図を、図５（Ｃ）はその使用方法を示す。図５（Ａ）において、指輪本体１はそのリングの内側に第１接触端子１１を備え、該第１接触端子は使用者がリングに指５を通すことにより接触される。更に、図５（Ｃ）に示すように、本体１表面の第２接触端子１２を使用者の耳４に当てることにより、第１接触端子１１と使用者の指５、及び使用者の耳４と第２接触端子１２の間で通電され、音声メッセージが出力される。一方、図５（Ｂ）の指輪型の小型低音量音声出力玩具は、本体１表面に第１接触端子１１と第２接触端子１２を備えており、図５（Ｃ）と同様に使用者の耳４に当てることにより、第１接触端子１１と使用者の耳４、及び第２接触端子１２と使用者の耳４の間で通電され、音声メッセージが出力される。
【００１８】
図６は本発明の小型低音量音声出力玩具の音声メッセージの音量と、その測定方法を示す図である。本小型低音量音声出力玩具に内蔵される、スピーカー２から騒音計のマイク先端部１３までの距離が１センチメートルの位置で前記音量が４０デシベル以上、前記スピーカー２から前記騒音計のマイク先端部１３までの距離が２０センチメートルの位置で前記音量が６０デシベル以下の時、音声メッセージが第三者に聞かれること無く、使用者ははっきりと聞き取ることができる。
【００１９】
【発明の効果】
本発明は以上説明したような形態で実施され、次のような効果を有する。
【００２０】
本発明の小型低音量音声出力玩具は、体の一部に触れるだけでスイッチがオンになる機構のため、耳に当てる、若しくは携帯電話機の通話口などに触れるだけで音声メッセージを聞くことができるので、音量を小さくすることができる。その結果、本体に内蔵されるスピーカー、電池、音声ＩＣ、及び本体そのものを小型化できると共に、消費電力も抑えることができる。また音量が小さいことで、ひそひそ話をしている様な特別な雰囲気を作ることができる。
【図面の簡単な説明】
【図１】本発明の実施例である、キーホルダー用キャラクタ人形（Ａ）、携帯電話機用ストラップのキャラクタ人形（Ｂ）、ネックレス形状（Ｃ）、指輪形状（Ｄ）の、それぞれの小型低音量音声出力玩具を示す図である。
【図２】本発明の一実施例である、指輪型の小型低音量音声出力玩具の外観図（Ａ）、及びその使用方法（Ｂ）を示す図である。
【図３】本発明の一実施例である、携帯電話機用ストラップの人形の使用方法を示す図である。
【図４】本小型低音量音声出力玩具に実装される、音声回路を示す図である。
【図５】本発明の一実施例である、人体との電気的な接触端子を備えた、二種類の指輪型の小型低音量音声出力玩具の外観図（Ａ）と（Ｂ）、及びその使用方法（Ｃ）を示す図である。
【図６】本発明の小型低音量音声出力玩具の音声メッセージの音量とその測定方法を示す図である。
【符号の説明】
１  本体
２  スピーカー
３  スイッチ
４  使用者の耳
５  使用者の指
６  携帯電話機の通話口
７  ＲＯＭ
８  サウンドチップ
９  音声ＩＣ
１０  電池
１１  第１接触端子
１２  第２接触端子
１３  騒音計のマイク先端部
【図１】
2004215723.tif 000003
【図２】
2004215723.tif 000004
【図３】
2004215723.tif 000005
【図４】
2004215723.tif 000006
【図５】
2004215723.tif 000007
【図６】
2004215723.tif 000008